【手続補正書】
【提出日】平成15年5月21日(2003.5.21)
【手続補正１】
【補正対象書類名】明細書
【補正対象項目名】全文
【補正方法】変更
【補正の内容】
【発明の名称】塵埃分離収集清掃装置
【特許請求の範囲】
【請求項１】所要形状の中空とする任意外形の本体（１）に、流通路を形成する所要形状の吸入口（２）と排出口（３）を設け、その吸入口（２）と排出口（３）の中間にある本体（１）内部には、前記流通路を遮る形状に、所要形状の網体（４）を取り付けた塵埃分離収集清掃装置。
【請求項２】所要形状の中空とする任意外形の本体（１１）に、流通路を形成する所要形状の吸入口（１２）と排出口（１３）を設け、その吸入口（１２）と排出口（１３）の中間にある本体（１１）内部には、所要形状の網体（１４）に操作軸（１５）を固着し、前記流通路を遮る形状に軸着した塵埃分離収集清掃装置。
【請求項３】所要形状の中空とする任意外形の本体（２１）に、流通路を形成する所要形状の吸入口（２２）と排出口（２３）を設け、その吸入口（２２）と排出口（２３）の中間にある本体（２１）の壁面には、前記流通路を遮る方向の切り込み孔（２５）と、該切り込み孔（２５）の両側内壁面に案内溝（２６）を設け、該切り込み孔（２５）から案内溝（２６）に沿って抜き差しする所要形状の網体（２４）を設けた塵埃分離収集清掃装置。
【請求項４】流通路を形成する吸入口（２、１２、２２）と排出口（２、１２、２２）の中間にある本体（３、１３，２３）内部に網体（４、１４、２４）を設け、その網体（４、１４、２４）の下部から吸入口（２、１２、２２）側に開口部（６１）を設けると共に、排出口側に閉塞部（６５）を設け該開口部（６１）と閉塞部（６５）を囲む周壁（６２）には、被取り付け部（６３ａ）を設け、該被取り付け部（６３ａ）には、箱形形状の上面を開口した周縁に取り付け部（６３ｂ）を有する収集箱（６４）を着脱自在に取り付けた請求項１、２又は３記載の塵埃分離収集清掃装置。
【発明の詳細な説明】
【０００１】
【産業上の利用分野】
本発明は、掃除機の清掃装置で吸い込まれる塵埃を分別する塵埃分離収集装置における網体の目詰まり除去装置並びに塵収集に関する。
本発明は、家庭用、業務用に幅広く使用される掃除機の清掃装置に関するものである。
【０００２】
【従来の技術】
従来の清掃は、モータ及びブロワー、集塵パックフィルターなどで構成された掃除機にホース先端管を接続し、そのホース先端管に従来の吸塵管や延長管と床用吸塵管を接続して、塵埃その他の使用品まで吸い込んでいる。
【０００３】
【発明が解決しょうとする課題】
最も多い床面の清掃においては、時として必要な細かい物を床の上に落としてしまうことがあるが、物陰の他に溝や同系色のじゅうたんなどに紛れ込んでしまうと容易に目に付く状況でないため、其のようなことに気づくことのないままに掃除機で吸い込み、集塵パックフィルターと共に捨ててしまう事がある。又清掃中に必要な物が落ちていることに一瞬気づいた時は、既に吸い込んでいるため、集塵パックフィルターの中の塵や埃に混じり合った中から捜し出すなど掃除機に係わるトラブルは少なくない。そして埃に混じった細かいものが入った引き出し又は細かい物が入り混じっている転倒容易でない箱の内部を清掃する場合には、細かい物に混じっている埃に息吹きかけたり、ブロワー等で空気を吹きつけるなどで清掃するのは大変不衛生であり大変疲れる。またホックやクリップなどは吹き飛んでしまうため、箱の中に入っている物は一旦外に出し、入っていた物と箱の中とを区別して清掃する一般的な清掃の仕方では時間がかかる。
本発明は、これらの問題に対し、吸い込んだ物を掃除機の集塵室内に有る集塵パックフィルターに吸い込まれる以前の所で吸引した塵埃を分離して捕捉収集し、其の中に必要なものがあれば採取できるようにし、不要なものである場合には掃除機にダイレクト吸引させるなどにより手間のかからない安心して清掃ができるようにしようとするものである。
【０００４】
【課題を解決する為の手段】
上記目的を達成するため、本発明は吸気源である掃除機により塵埃を吸入口から塵埃分離室の内部に吸引することにより、次にあげる方法で解決する事が出来る。
【０００５】
請求項１においては、本体の片側に塵埃を吸い込む吸入口を設けると共に、他方側に掃除機のホース差し込み口と連通するホース先端管が接続される排出口を設け、前記吸入口と排出口が流通路を形成する中間の本体内部に、前記流通路を遮る形状の網体を設けて、本体と網体を一体にし、網体と本体を同時反転網とし前記排出口と接続のホース先端管は、前記吸入口との接続も可能な構成とすることにより、本装置の向きを反対方向に反転しても、ホース先端管は排出口と同様に吸入口との接続が可能であり、吸入口側にアタッチメントを使用すれば、従来の吸塵管を使用することができる。
【０００６】
請求項２においては、本体の片側に塵埃を吸い込む吸入口を設けると共に、他方側に掃除機のホース差し込み口と連通するホース先端管が接続される排出口を設け、前記吸入口と排出口が流通路を形成する中間の本体内部に、操作軸を網体に固着して、前記流通路を遮る形状に軸着し、本装置の外部において前記操作軸を操作可能としたものである。
清掃で吸引し分離して捕捉収集した混在塵や混在物から必要なものを採取した後の塵は塵箱に捨てるか、又は操作軸を回し、軸着した網体を前記流通路内部の気流に沿った状態に反転することにより、掃除機にダイレクト吸引させることができる。
【０００７】
請求項３においては、本体の片側に塵埃を吸い込む吸入口を設けると共に、他方側に掃除機のホース差し込み口と連通するホース先端管が接続される排出口を設け、前記吸入口と排出口が流通路を形成する中間の本体の壁面には、該流通路を遮る方向に切り込み孔を設け、更に切り込み孔を設けた壁面の両側内壁面には案内溝を設け、前記切り込み孔から案内溝に沿って前記流通路を遮る形状に網体を抜き差しし、本装置の外側で網体の反転操作を可能としたものである。
清掃で吸引し分離して捕捉収集した混在塵や混在物から必要とするものを採取した後の塵は、塵箱に捨てることもできるが、本装置の網体を外方向に引き寄せて流通路を開けることにより掃除機にダイレクト吸引させることができる。
【０００８】塵埃を吸引して分離する塵埃分離室を設けた
請求項４においては、本体内部の網体下部には開口部及び閉塞部を設け、更に該開口部及び閉塞部を囲む周壁に、着脱自在の収集箱を取り付けて、捕捉収集した混在塵や混在物を容易に取り出せるようにした。
【０００９】
請求項１から３の共通する手段としては、反転する網体が業務用のものである場合は金属製又は合成樹脂製の板状であって、その網体は家庭用として吸い込む物に制限を設けられる場合に於ては、前記網体を織物網又は成型網又はプレス網などの薄い網状とした金属製又は合成樹脂製の網体とすることもできる。また、塵埃を吸引し分離する事で綿埃が網体に付着し、目詰まり現象を起こした場合は網体を反転させられるようにしたものである。
【００１０】
請求項４においては、塵埃を吸引分離する本体の下部に開口部及び閉塞部を設けると共に、該開口部及び閉塞部を囲む着脱自在の収集箱を設けたものである。
【００１１】
【作用】
上記のように構成された請求項１においては、網体を内部に設けた本体に吸気源である掃除機と連通しているホース先端管を排出口に接続し、吸引することにより、吸入口から塵埃と共に吸い込まれた空気及び微粒埃は、網体を素通りして掃除機に吸い込まれるが、同時に吸い込まれた混在塵や混在物に付着してる綿埃は網体に付着し、綿埃の除去された混在塵や混在物は一時網体に捕われて吸着する。
しかし清掃中における吸入口側の吸い込み口と清掃面との隙間の変化又は吸引停止等により、吸い込む空気量の減少又はストップによって吸着力が低下、又はゼロとなるため、綿埃は網体に付着した状態で残り、混在塵や混在物は自己の重みで網体から離れて吸入口側に戻され収集されるので、分離と清掃と収集の作用がある。
このように塵埃の吸引分離を繰り返し続けていると網体の吸入口側表面に綿埃が付着し目詰り現象を生じて機能は低下するが、網体と一体である本体の向きを逆方向に転じて吸入口であった側に吸気源と連通のホース先端管を接続して吸引することにより、網体に綿埃が付着している側から吸引することになり、吸気源の負圧により網体の綿埃を剥離一掃する作用がある。
【００１２】
請求項２においては、操作軸を固着した網体を内部に設けた本体に吸気源である掃除機と連通しているホース先端管を排出口に接続し、吸引することにより、吸入口から塵埃と共に吸い込まれた空気及び微粒埃は、軸着された網体を素通りし掃除機に吸い込まれるが、同時に吸い込まれた混在塵や混在物に付着していた綿埃は網体に付着し、綿埃が除去された混在塵や混在物は一時網体に捕われ吸着する。
しかし清掃中における吸入口側の吸い込み口と清掃面との隙間の変化又は吸引停止により、吸い込む空気量の減少又はストップによって吸着力が低下又はゼロとなるため、綿埃は網体に付着した状態で残り、混在塵や混在物は自己の重みで網体から離れて吸入口側に戻され収集されるので、分離と清掃と収集の作用がある。
このように塵埃の吸引分離を長時間続けていると網体の吸入口側表面に綿埃が付着し目詰り現象を生じて機能が低下するが、操作軸で網体を反転することにより、これまでの網体の吸入口側に付着していた綿埃が網体の排出口側となるため排出口から吸引する負圧により網体の綿埃を剥離一掃する作用がある。
また、清掃で吸引し分離して捕捉収集した混在塵や混在物から必要なものを採取した後の塵は、操作軸を回し、軸着した網体を流通路内部の気流に沿った状態に反転させ、掃除機にダイレクト吸引させる作用がある。
【００１３】
請求項３においては、抜き差しする網体を内部に設けた本体に、吸気源である掃除機と連通しているホース先端管を排出口に接続し、吸引により、吸入口から塵埃と共に吸い込まれた空気及び微粒埃は、網体を素通りして掃除機に吸い込まれるが、同時に吸い込まれた混在塵や混在物に付着していた綿埃は網体に付着し綿埃の除去された混在塵や混在物は一時網体に捕われ吸着する。
しかし清掃中における吸入口側の吸い込み口と清掃面との隙間の変化又は吸引停止等により、吸い込む空気量の減少又はストップによって吸着力が低下、又はゼロとなるため、綿埃は網体に付着した状態で残り、混在塵や混在物は自己の重みで網体から離れて吸入口側に戻され収集されるので、分離と清掃と収集の作用がある。
このように塵埃の吸引分離を長時間続けていると網体の吸入口側表面に綿埃が付着し目詰り現象を生じて機能は低下するが、本体に設けられた切り込み孔に装着した抜き差し可能な網体を引き抜き、反転装着する事により、これまでは綿埃が網体の吸入口側に付着していたものが網体の排出口側に綿埃が付着となるため排出口から吸引する負圧による網体の綿埃を剥離一掃する作用がある。
また、抜き差し可能な網体を外方向に引き寄せることができるので、吸入口から吸引する塵埃をダイレクトで掃除機に吸い込ませる作用がある。
【００１４】
請求項４においては、吸入口から塵埃と共に吸い込まれる空気と微粒埃は網体を素通りして掃除機内部の集塵室に有する集塵パックフィルターに吸い込まれるが、他の混在塵や混在物は網体に捕われ一時網体に吸着する。
しかし清掃中における吸入口側の吸い込み口と清掃面との隙間の変化又は吸引停止等により、吸い込む空気量の減少又はストップによって吸着力が低下、又はゼロとなるため、綿埃は網体に付着した状態で残り、混在塵や混在物は自己の重みで網体から離れて、本体下部に設けた開口部を通過して収集箱に落下し収集する作用がある。
【００１５】
【実施例】
実施例について図面を参照して説明すると、図１においては、本体１の片側に吸入口２を設けると共に、他方側に排出口３を設け、その本体１の内部に網体４を嵌着する構成であって、吸入口２から排出口３に至る本体１の中心線上で縦割りした左右対称形とする合成樹脂製の二つの成型体を嵌合させ、その合せ目を段差突き合わせして、要所を係止部で係着すると共にねじ８で締着する。
また、本体１は動物、植物、構造物などの任意外形とすることができると共に本体１の外形に関係なく、本体１１の内部は球形、円筒形、角柱形等の所要形状とすることができる。
【００１６】
図２においては、本体１の内部に設けられた網体５は、業務用としては、網目を枡目形状とした金属製または合成樹脂製のものであるが、家庭用として金属やガラス破片など吸い込ませるものに制限を設けられる場合は、金属製又は合成樹脂製の額縁形状の枠に金属製又は合成樹脂製の織物網又は成型網又はプレス網などの薄い網を張設した網体４とし、本体１の内部形状に合わせた構成とする。
【００１７】
図４における本体１１の片側に吸入口１２を設けると共に他方側に排出口１３を設けた本体１１の内部に網体１４を軸着する構成であって、吸入口１２から排出口１３に至る本体１１の中心線上で縦割りした左右対称形とする合成樹脂製の二つの成型体を嵌合させ、その合せ目を段差突き合わせして要所を係止部で係着すると共にねじ８で締着する。
また、本体１１は動物、植物、構造物などの任意外形とすることができると共に、本体１１の内部は、球形、円筒形、角柱形などの所要形状とすることができる。
【００１８】
図５における本体１１の片側に吸入口３を設けると共に他方側に排出口４を設けた本体２の内部に塵埃分離室１を設け、吸入口３から排出口４に至る本体２の中心線上で縦割りした左右対称形とする合成樹脂製の二つの成型体を嵌合させ、その合せ目を段差突き合わせして要所を係止部で係着すると共にねじ８で締着する。
また、本体１１は動物、植物、構造物などの任意形状とすることができると共に、本体１１の外形に関係なく、本体１１の内部は、球形、円筒形、角柱形などの所要形状とする。
【００１９】
図７においては、本体２１の片側に吸入口２２を設けると共に他方側に排出口２３を設けた本体２１の内部に網体２４を抜き差しする構成であって、吸入口２２から排出口２３に至る本体２１の中心線上で縦割りした左右対称形とする合成樹脂製の二つの成型体を嵌合させ、その合せ目を段差突き合わせして要所を係止部で係着すると共にねじ８で締着する。
また、本体２１は動物、植物、構造物などの任意外形とすることができると共に、本体２１の内部は、球形、円筒形、角柱形などの所要形状とすることができる。
【００２０】
図８における本体２１の内部に設けられた網体５は、業務用として、網目を枡目形状とした金属製または合成樹脂製のものであるが、家庭用として金属やガラス破片など吸い込ませるものに制限を設けられる場合は、金属製又は合成樹脂製の額縁形状の金属製又は合成樹脂製の織物網又は成型網又はプレス網などの薄い網を張設した網体２４とし、本体２１の内部形状に合わせた構成とする。
【００２１】
図１６においては、本体１の片側に吸入口２を設けると共に、他方側に排出口３を設けた本体１の内部に網体４を設け、吸入口２から排出口３に至る本体１の中心線上で縦割りした左右対称形とする合成樹脂製の二つの成型体を嵌合させ、その合せ目を段差突き合わせして要所を係止部で係着すると共にねじ８で締着する。
また、本体１は動物、植物、構造物などの任意形状とすることができると共に本体１の内部形状は本体１の形状に関係なく球形、円筒形、角柱形等の所要形状とする。
【００２２】
図１７においては、本体１の内部に設けられた網体４は、業務用として板状に形成され、網目を枡目形状とした金属製または合成樹脂製のものであるが、家庭用として金属やガラス破片など吸い込ませるものに制限を設けられる場合には、金属製または合成樹脂製の額縁形状の金属製又は合成樹脂製の織物網又は成型網又はプレス網などの薄い網を張設した網体４とし、本体１の内部形状に合わせて網体４を嵌着した取り付け構成とする。
【００２３】
図１０から図１５において、同一形状同一サイズとする吸入口５３及び排出口５４の接続部形状が内径を一定とし外径が先細りとした場合は、外径が一定で内径が先広がりの接続部形状を有する吸気源の掃除機９１と連通している従来のホース先端管８０を排出口５４に接続することができると共に、図３１及び図３２に示す如く吸入口５３には接続部形状が外径を一定とし内径を先広がりとした専用吸塵管７５を装着することができる。
また、一般に市販されている従来の内径が一定で外径先細りの吸塵管７７を使用する場合は、図３３及び図３４に示す如く外径が一定で内径が両端に近づくほどに広がる形状のアタッチメント６６の一方に従来の吸塵管７７を接続すると共にアタッチメント６６の他方側を吸入口５３に装着する。
また、専用吸塵管７５やアタッチメント６６を使用せずに図３５及び図３６に示す市販されている従来の吸塵管７７及び延長管７９を使用する場合は、従来の吸塵管７７及び延長管７９の接続部形状は内径が一定で外径が先細りであるから、これに接続する吸入口５３の接続部形状は外径を一定とし内径を先広がりとする。
この場合に吸入口５３とホース先端管８０は双方とも外径が一定で内径が先広がりであるから、吸入口５３から吸引して網体５５に付着し目詰りした綿埃を吸引剥離させるための吸入口５３とホース先端管８０を接続させるためには図３７及び図３８に示す如く内径が一定で外径が中央から両端に近づくほどに先細りとなるアタッチメント７６の一方をホース先端管８０に接続し、そのアタッチメント７６の他方側を吸入口５３に接続する。
しかし目詰りした綿埃の吸引剥離は１０秒以内の短時間で一時期の作業であるから吸入口５３とホース先端管８０を突き合わせする方法で充分目的を達成できる。
【００２４】
図１６から図２４においては、図１から図１８の本体１、１１、２１下面に設けた開口部６１を一周する周壁６２に被取り付け部６３ａを設けた該被取り付け部６３ａの一周が角形である場合は、その各辺をわずかながら外方向に膨らみを有する形状とする。
【００２５】
図２５から図２７においては、吸入口２，１２、２２と排出口３、１３、２３と網体４，１４，２４を設けた本体１、１１、２１を掃除機のホース差し込み口９２と集塵口９３の間に装着することができる。
また、収集引き出し７４の底部が船底形となっているが角形形状の底とすることもできる。
図２５においては、本体１に設けた吸入口２は開口部７１を兼ねさせる。
図２５における吸入口２とホース差し込み口９２及び排出口３と集塵口９３及び吸入口２閉塞部７２の間隙を加減したい場合は、不織布又はスポンジ又は合成樹脂の薄い板などのブラシ体５８を向かい合う片方の面に接着して取り付ける。
【００２６】
【発明の効果】
本発明は以上説明したように構成されているので、以下に記載されるような効果を奏する。
【００２７】
請求項１、２、３、４に記載の発明においては、本体内部に設けた網体により吸入口から吸引した塵埃その他のものを綿埃と混在塵や混在物などに分離し、その分離により綿埃を除去された混在塵や混在物は全て捕捉され、清掃された所定の場所に吐き戻し収集されるから、清掃と収集が交互してできる。
従って必要な細かい物を入れたままで引き出しの中を清掃しても本装置に吸い込まれた綿埃以外のものは吸引停止することにより吐き戻して収集できるので、清掃と収納を交互に連続してできるから効率の良い清掃作業ができる。
また、清掃の最中において必要な物を無意識のうちに吸い込んでしまった場合でも確実に捕捉し収集して混在塵や混在物の中から必要な物を採取することができるので、掃除機内部に有する集塵室の集塵パックフィルターと一緒に必要な物が捨てられてしまうようなことはない。
また、必要なものが落ちているのに一瞬気づいた時はすでに吸い込んでいた場合でも確実に捕捉し採取することができるから、従来のように埃にまみれながら掃除機内部の集塵室にセットされた集塵パックフィルターの中を捜すような事はない。
また、吸引した塵埃はその他の全てから混在塵や混在物を分離清掃し捕捉収集するので、物陰、溝、隙間、薄暗い所、同系色の所、じゅうたんのように毛深い所などに紛れ込んだ物を捜しだすのにあまり視力に頼らずとも楽に早く確実に清掃とあわせて捜し物ができる。
【００２８】
本体内部に設けた網体は板状に形成された網目が枡目形状の場合は、吸引した物が網体に衝突しても容易に損傷せず丈夫で寿命が長い。また、吸引物の種類によってはガラス破片や金属片などを制限することにより、網体の枠に金属製又は合成樹脂製の織物網又は成型網又はプレス網などの薄い網を張設し低価格化することができる。
また本体内部に設けた網体は、吸引した塵埃を分離することにより綿埃が網体に付着し目詰まりして分離機能が低下するが、この網体を反転して負圧をかけることにより綿埃は一瞬にして剥離されるので、網体の分離機能を短時間で簡単にしかも完全に回復させることができる。
更に、板状に形成された枡目形状の網体は、深みのある網目であるため綿埃の細長い繊維体は容易に網目に絡みつけないため、負圧による綿埃の剥離性が大変良いので網体の定期整備期間を長くすることができる。
また、吸引分離して収集した混在塵は、綿埃が除去されているので、塵箱に捨てることができるから、掃除機内部に有する集塵室の集塵パックフィルターに吸い込まれるのは綿埃だけとなり、集塵パックフィルターの寿命を延ばすことができる。
【００２９】
請求項４に記載の発明においては、反転する網体を有する塵埃分離室を内部に設けた本体の下面に、着脱自在とする所要大きさの収集箱を取り付けることにより、塵埃その他のものを吸引分離して綿埃を除去し、多量の混在塵や混在物を捕捉収集して収集箱に収集できるため、長時間にわたる清掃ができるとともに、収集した混在塵の中の必要な物を一時期にまとめて採取できるから、採取する回数が減り清掃作業がスピーディーとなるほかに、採取して残された塵は綿埃が付着していないので塵箱に捨てることができるから、掃除機内部に有する集塵室の集塵パックフィルターの寿命を延ばすことができる。
【００３０】
請求項４に記載の発明においては、閉塞部を収集箱に設けた場合に、塵埃を吸引分離する時点で閉塞部が排出口側に有る収集箱を１８０度旋回させて閉塞部を吸入口側にすることにより、網体の操作をすることなく吸入口を塞ぎ通気弁を外して通気体から空気を流入させることにより、必要なものを採取して残された混在塵や混在物を、掃除機の吸引により掃除機内部の集塵室に有する集塵パックフィルターに吸い込ませ一掃することができる。
【図面の簡単な説明】
【図１】嵌着した網体を取り付けた実施例の斜視図である。
【図２】嵌着した網体を取り付けた実施例の縦断面図である。
【図３】嵌着した網体を取り付けた実施例の横断面図である。
【図４】軸着した網体を取り付けた実施例の斜視図である。
【図５】軸着した網体を取り付けた実施例の縦断面図である。
【図６】軸着した網体を取り付けた実施例の横断面図である。
【図７】抜き差しする網体を取り付けた実施例の斜視図である。
【図８】抜き差しする網体を取り付けた実施例の縦断面図である。
【図９】抜き差しする網体を取り付けた実施例の横断面図である。
【図１０】専用集塵管を取り付けた実施例の斜視図である。
【図１１】専用集塵管を取り付けた実施例の縦断面図である。
【図１２】アタッチメントを取り付けた実施例の斜視図である。
【図１３】アタッチメントを取り付けた実施例の横断面図である。
【図１４】アタッチメントを取り付けた実施例の斜視図である。
【図１５】アタッチメントを取り付けた実施例の縦断面図である。
【図１６】網体を嵌着した本体に収集箱を取り付けた実施例の斜視図である。
【図１７】網体を嵌着した本体に収集箱を取り付けた実施例の縦断面図である。
【図１８】網体を嵌着した本体に収集箱を取り付けた実施例の横断面図である。
【図１９】網体を軸着した本体の実施例の斜視図である。
【図２０】網体を軸着した本体の実施例の縦断面図である。
【図２１】網体を軸着した本体の実施例の横断面図である。
【図２２】抜き差しする網体を取り付けた本体に収集箱を設けた実施例の斜視図である。
【図２３】抜き差しする網体を取り付けた本体に収集箱を設けた実施例の縦断面図である。
【図２４】抜き差しする網体を取り付けた本体に収集箱を設けた実施例の横断面図である。
【図２５】嵌着した網体を取り付けた本体を掃除機に装着した実施例の縦断面図である。
【図２６】軸着した網体を取り付けた本体を掃除機に装着した実施例の縦断面図である。
【図２７】抜き差しの網体を取り付けた本体を掃除機に装着した実施例の縦断面図である。
【符号の説明】
１、１１、２１  本体
２、１２、２２  吸入口
３、１３、２３  排出口
４、１４、２４  網体
１５  操作軸
８  ねじ
２５  切り込み孔
２６  案内溝
４６  把手
４９  蓋体
５７  網体嵌着溝
５８  ブラシ体
６１、７１  開口部
６２  周壁
６３  被取り付け部及び取り付け部
６４  収集箱
６５、７２  閉塞部
６６、７６  アタッチメント
７３  摺接面
７４  収集引き出し
７５  専用吸塵管
７７  吸塵管
８２  向板部
９１  掃除機
９２  ホース差し込み口
９３  集塵口
９４  引き出し口
９５  集塵室
９６  フィルター
９７  ブロワー
９８  モータ
９９  掃除機床部


【手続補正２】
【補正対象書類名】図面
【補正対象項目名】全図
【補正方法】変更
【補正の内容】
【図１】
1997038005.tif 000001
【図２】
1997038005.tif 000002
【図３】
1997038005.tif 000003
【図４】
1997038005.tif 000004
【図５】
1997038005.tif 000005
【図６】
1997038005.tif 000006
【図７】
1997038005.tif 000007
【図８】
1997038005.tif 000008
【図９】
1997038005.tif 000009
【図１０】
1997038005.tif 000010
【図１１】
1997038005.tif 000011
【図１２】
1997038005.tif 000012
【図１３】
1997038005.tif 000013
【図１４】
1997038005.tif 000014
【図１５】
1997038005.tif 000015
【図１６】
1997038005.tif 000016
【図１７】
1997038005.tif 000017
【図１８】
1997038005.tif 000018
【図１９】
1997038005.tif 000019
【図２０】
1997038005.tif 000020
【図２１】
1997038005.tif 000021
【図２２】
1997038005.tif 000022
【図２３】
1997038005.tif 000023
【図２４】
1997038005.tif 000024
【図２５】
1997038005.tif 000025
【図２６】
1997038005.tif 000026
【図２７】
1997038005.tif 000027